Podtech/llm-jp-corpus-v4-ja_patent huggingface dataset:
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
遊技球が流下する遊技領域を有する遊技盤を備えた遊技機本体と、
前記遊技領域へ遊技球を打ち出す発射装置と、
前記遊技領域に設けられた始動領域に遊技球が入球したことに基づいて、当落の判定を行う抽選手段と、
前記抽選手段の結果によって演出を決定する演出決定手段と、
前記演出決定手段によって決定された演出を実行する演出実行手段と、
遊技者が操作可能な演出操作手段と、
遊技者がたたきうつことが可能な行為受付手段と、
前記始動領域に遊技球が入球したことに基づいて所定数の遊技球を払い出す特典付与手段と、
前記特典付与手段によって払い出された遊技球を貯留し、前記発射装置へ遊技球を供給する皿部と、を有し、
前記行為受付手段は前記皿部に設けられている遊技機であって、
遊技の進行に伴って実行されている演出の所定のタイミングにおいて前記演出操作手段の操作を有効にする演出操作有効手段と、
遊技の進行に伴って前記演出操作手段が有効とされる前記所定のタイミングとは異なるタイミングにて前記行為受付手段への行為が行われた場合においても該行為の受け付けを有効とし、前記行為受付手段への行為に応じて複数段階の表示態様のうちの所定段階の表示態様を表示し、当該所定段階の表示態様を前記複数段階のいずれの段階であるかを遊技者が認識可能に前記所定段階以下の段階も含めた態様で表示する行為反映手段を備え、
前記所定段階以下の段階も含めた態様で表示する表示領域とは異なる領域にて前記所定段階に対応した演出態様が現れる
ことを特徴とする遊技機。
【手続補正２】
【補正対象書類名】明細書
【補正対象項目名】０００８
【補正方法】変更
【補正の内容】
【０００８】
上記課題を解決するために、本発明は遊技球が流下する遊技領域を有する遊技盤を備えた遊技機本体と、前記遊技領域へ遊技球を打ち出す発射装置と、前記遊技領域に設けられた始動領域に遊技球が入球したことに基づいて、当落の判定を行う抽選手段と、前記抽選手段の結果によって演出を決定する演出決定手段と、前記演出決定手段によって決定された演出を実行する演出実行手段と、遊技者が操作可能な演出操作手段と、遊技者がたたきうつことが可能な行為受付手段と、前記始動領域に遊技球が入球したことに基づいて所定数の遊技球を払い出す特典付与手段と、前記特典付与手段によって払い出された遊技球を貯留し、前記発射装置へ遊技球を供給する皿部と、を有し、前記行為受付手段は前記皿部に設けられている遊技機であって、遊技の進行に伴って実行されている演出の所定のタイミングにおいて前記演出操作手段の操作を有効にする演出操作有効手段と、遊技の進行に伴って前記演出操作手段が有効とされる前記所定のタイミングとは異なるタイミングにて前記行為受付手段への行為が行われた場合においても該行為の受け付けを有効とし、前記行為受付手段への行為に応じて複数段階の表示態様のうちの所定段階の表示態様を表示し、当該所定段階の表示態様を前記複数段階のいずれの段階であるかを遊技者が認識可能に前記所定段階以下の段階も含めた態様で表示する行為反映手段を備え、前記所定段階以下の段階も含めた態様で表示する表示領域とは異なる領域にて前記所定段階に対応した演出態様が現れることを特徴とする遊技機。
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
遊技球が進入可能な第一始動口および第二始動口と、
前記第一始動口または前記第二始動口に遊技球が進入することを契機として当否抽選を行う当否抽選手段と、
前記第一始動口の方が前記第二始動口よりも遊技球が進入しやすい状態である通常遊技状態、および、前記第二始動口の方が前記第一始動口よりも遊技球が進入しやすい状態である特定遊技状態のいずれかを設定する遊技状態設定手段と、
を備え、
前記特定遊技状態は、前記通常遊技状態よりも、継続的に遊技する遊技者が所有する遊技球が減りにくい高ベース状態であり、
前記通常遊技状態において、前記第一始動口に遊技球が進入した時には効果音を出力しないものの、前記第二始動口に遊技球が進入した時には所定の効果音を出力することを特徴とする遊技機。
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
外枠と、前記外枠に対して開閉可能な本体枠とを備え、遊技球を用いて遊技が行われる遊技機であって、
前記外枠は、
下部に設けられて前記本体枠が外枠に対して閉じた状態で前記本体枠が載置される幕板を含む下部部材と、
前記外枠の左方側に設けられ、前記本体枠を開閉可能に支持するヒンジ部材と、
を少なくとも有し、
前記ヒンジ部材が設けられた側において後方に退避した位置に形成され、前記幕板の後面側へ遊技球を排出するための遊技球排出領域と、
前記遊技球排出領域の後方を含んで横長に形成される立壁部と、
を備え、
前記遊技球排出領域は、前記本体枠が開閉する際の回転軸より右方側に形成され、
前記ヒンジ部材が設けられた側において後方に退避した位置の前記立壁部の上端は、前記幕板の前記本体枠が載置される部分のうち前記立壁部が後方に退避した位置に存在しない部分の上端より高くなるようにし、
前記立壁部は、前記本体枠が閉じたときの前記本体枠下端後面より少なくとも遊技球１個分隔てた後方に位置し、
前記遊技球排出領域の右側で前後方向に形成される前後方向立壁部を備えている
ことを特徴とする遊技機。
【請求項２】
前記立壁部は、横方向の途中で前後方向に折れ曲がる屈曲部を有することを特徴とする請求項１に記載の遊技機。
【手続補正２】
【補正対象書類名】明細書
【補正対象項目名】０００８
【補正方法】変更
【補正の内容】
【０００８】
請求項１に係る遊技機は、
外枠と、前記外枠に対して開閉可能な本体枠とを備え、遊技球を用いて遊技が行われる遊技機であって、
前記外枠は、
下部に設けられて前記本体枠が外枠に対して閉じた状態で前記本体枠が載置される幕板を含む下部部材と、
前記外枠の左方側に設けられ、前記本体枠を開閉可能に支持するヒンジ部材と、
を少なくとも有し、
前記ヒンジ部材が設けられた側において後方に退避した位置に形成され、前記幕板の後面側へ遊技球を排出するための遊技球排出領域と、
前記遊技球排出領域の後方を含んで横長に形成される立壁部と、
を備え、
前記遊技球排出領域は、前記本体枠が開閉する際の回転軸より右方側に形成され、
前記ヒンジ部材が設けられた側において後方に退避した位置の前記立壁部の上端は、前記幕板の前記本体枠が載置される部分のうち前記立壁部が後方に退避した位置に存在しない部分の上端より高くなるようにし、
前記立壁部は、前記本体枠が閉じたときの前記本体枠下端後面より少なくとも遊技球１個分隔てた後方に位置し、
前記遊技球排出領域の右側で前後方向に形成される前後方向立壁部を備えている
ことを特徴する遊技機。
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
遊技の進行を制御するメイン制御手段と、
ベット数を示すベットランプと、を備え、
前記メイン制御手段は、
特別遊技状態の開始条件を満たしたことに基づいて、特別遊技状態を開始するように制御し、
特別遊技状態では、特別役物の作動を可能とし、
特別遊技状態の終了条件を満たしていない場合において、特別役物の終了条件を満たしたときは特別役物の作動を終了し、所定期間の待機処理を実行した後に、再度、特別役物の作動を開始可能とし、
前記メイン制御手段は、前記所定期間において割込み処理を実行可能とし、
前記メイン制御手段は、
特別遊技状態において特別役物が作動しているときに実行される割込み処理では、特別遊技状態であり、かつ、特別役物が作動していることを示す試験信号を出力するための処理を実行可能とし、
特別遊技状態において特別役物が作動していない前記所定期間で実行される割込み処理では、特別遊技状態であり、かつ、特別役物が作動していないことを示す試験信号を出力するための処理を実行可能とし、
前記メイン制御手段は、前記ベットランプの点灯の有無を示す点灯データを記憶する点灯データ記憶手段を有し、
前記ベットランプとして、第１のランプ、第２のランプ、第３のランプを有し、
前記点灯データは、第１のランプの点灯／消灯を示す第１ビット、第２のランプの点灯／消灯を示す第２ビット、第３のランプの点灯／消灯を示す第３ビットを有するデータであり、
前記点灯データは、ベット数の更新に基づいて更新可能である
ことを特徴とする遊技機。
【手続補正２】
【補正対象書類名】明細書
【補正対象項目名】０００１
【補正方法】変更
【補正の内容】
【０００１】
本発明は、特別遊技状態を有する遊技機に関するものである。
【手続補正３】
【補正対象書類名】明細書
【補正対象項目名】０００２
【補正方法】変更
【補正の内容】
【０００２】
従来の遊技機において、たとえばＢＢ等の特別役に当選したときに遊技の進行を停止し、遊技の進行を停止しているときに特別役当選報知を行うことが知られている（たとえば、特許文献１参照）。
【手続補正４】
【補正対象書類名】明細書
【補正対象項目名】０００３
【補正方法】変更
【補正の内容】
【０００３】
【特許文献１】特開２０００−０６１０３４号公報
【手続補正５】
【補正対象書類名】明細書
【補正対象項目名】０００４
【補正方法】変更
【補正の内容】
【０００４】
本発明が解決しようとする課題は、特別遊技状態で特別役物が作動する遊技機において、特別役物の作動の終了を明確にした試験信号を出力可能とすることである。
【手続補正６】
【補正対象書類名】明細書
【補正対象項目名】０００５
【補正方法】変更
【補正の内容】
【０００５】
本発明は、以下の解決手段によって上述の課題を解決する。なお、かっこ書きで、対応する実施形態の構成を示す。
本発明は、
遊技の進行を制御するメイン制御手段（メイン制御基板６０）と、
ベット数を示すベットランプ（１枚投入表示ＬＥＤ７３ｅ、２枚投入表示ＬＥＤ７３ｆ、３枚投入表示ＬＥＤ７３ｇ）と、を備え、
前記メイン制御手段は、
特別遊技状態の開始条件を満たしたこと（１ＢＢに当選し、１ＢＢが入賞したこと）に基づいて、特別遊技状態（１ＢＢ遊技）を開始するように制御し、
特別遊技状態では、特別役物（ＲＢ）の作動を可能とし、
特別遊技状態の終了条件を満たしていない場合において、特別役物の終了条件を満たしたときは特別役物の作動を終了し、所定期間（５割込みに相当する時間）の待機処理（２バイト時間待ち処理）を実行した後に、再度、特別役物の作動を開始可能とし、
前記メイン制御手段は、前記所定期間において割込み処理を実行可能とし、
前記メイン制御手段は、
特別遊技状態において特別役物が作動しているときに実行される割込み処理では、特別遊技状態であり、かつ、特別役物が作動していることを示す試験信号を出力するための処理を実行可能とし、
特別遊技状態において特別役物が作動しているときに実行される割込み処理では、特別遊技状態であり、かつ、特別役物が作動していることを示す試験信号を出力するための処理を実行可能とし、
特別遊技状態において特別役物が作動していない前記所定期間で実行される割込み処理では、特別遊技状態であり、かつ、特別役物が作動していないことを示す試験信号を出力するための処理を実行可能とし、
前記メイン制御手段は、前記ベットランプの点灯の有無を示す点灯データを記憶する点灯データ記憶手段（投入枚数表示ＬＥＤ信号データ）を有し、
前記ベットランプとして、第１のランプ（１枚投入表示ＬＥＤ７３ｅ）、第２のランプ（２枚投入表示ＬＥＤ７３ｆ）、第３のランプ（３枚投入表示ＬＥＤ７３ｇ）を有し、
前記点灯データは、第１のランプの点灯／消灯を示す第１ビット（Ｄ７ビット）、第２のランプの点灯／消灯を示す第２ビット（Ｄ６ビット）、第３のランプの点灯／消灯を示す第３ビット（Ｄ５ビット）を有するデータであり、
前記点灯データは、ベット数の更新に基づいて更新可能である
ことを特徴とする。
また、他の態様の発明（第１実施形態）は、
所定の条件を満たしたとき（ＲＢに係る作動状態フラグが「１」であるとき（ステップＳ５４５で「Ｎｏ」のとき））に、特別遊技（ＲＢ遊技）を実行する遊技機において、
前記特別遊技における役の入賞回数に関する情報を記憶するカウンタ（アドレス「Ｆ０７４」の「_CT_BONUS_WIN 」）と、
遊技媒体の払出し数を記憶する払出し数記憶手段と
を備え、
前記払出し数記憶手段は、
遊技媒体の払出しに伴って、記憶した値を減算する（ステップＳ４７５）払出し数第１記憶手段（アドレス「Ｆ０６Ｃ」の「_NB_PAY_MEDAL 」）と、
遊技媒体の払出しによっても、記憶した値を減算しない払出し数第２記憶手段（アドレス「Ｆ０６Ｄ」の「_BF_PAY_MEDAL 」）と
を備え、
遊技媒体の払出しを有する役が入賞したときは、前記払出し数第１記憶手段及び前記払出し数第２記憶手段にそれぞれ払出し数に相当する値を記憶し（ステップＳ５９２及びステップＳ５９３）、
前記払出し数第２記憶手段に記憶された値が特定値（「０」）であるとき（ステップＳ５６３で「Ｙｅｓ」）は前記カウンタの値を更新せず、前記払出し数第２記憶手段に記憶された値が前記特定値でないとき（ステップＳ５６３で「Ｎｏ」）は前記カウンタの値を更新する（ステップＳ５６４）
ことを特徴とする。
【手続補正７】
【補正対象書類名】明細書
【補正対象項目名】０００６
【補正方法】変更
【補正の内容】
【０００６】
本発明によれば、待機処理を用いて、特別役物の作動の終了を明確に示す試験信号を出力することができる。
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
隣接する２つの流体回路部（Ｃ，Ｃ’）を流体的に接続するために配置され、必要であれば、前記流体回路部から流体を流出させることなく負荷状態の２つの流体回路部（Ｃ，Ｃ’）を分離することを許容する流体回路用接続装置（１０）であって、
分離可能なように互いに直接接続されている２つの温度式膨張弁（１２，１２’）を備え、個々の前記温度式膨張弁（１２，１２’）は、各流体回路部（Ｃ，Ｃ’）の一端に接続されるように構成されると共に、流体の温度に応じて、流体の流れを許容する開弁状態と流体の流れを防止する閉弁状態とに切り替えることが可能であることを特徴とする流体回路用接続装置（１０）。
【請求項２】
前記２つの温度式膨張弁（１２，１２’）は、流体の温度が既定の閾値を下回ったときに閉弁状態へ切り替わり、２つの前記流体回路部の分離を許容するように構成されている、請求項１に記載の流体回路用接続装置。
【請求項３】
前記２つの温度式膨張弁（１２，１２’）は、流体の温度が既定の閾値を上回ったときに閉弁状態へ切り替わり、２つの前記流体回路部の分離を許容するように構成されている、請求項１に記載の流体回路用接続装置。
【請求項４】
前記２つの温度式膨張弁（１２，１２’）は互いに同一である請求項１から３のいずれか１項に記載の流体回路用接続装置。
【請求項５】
前記２つの温度式膨張弁（１２，１２’）はそれぞれ、
第１の端部で各々流体回路部（Ｃ，Ｃ’）と接続し、反対側の端部では他方の温度式膨張弁（１２’，１２）のケース（１４’，１４）と接続するように構成され、前記反対側の端部において貫通開口（２２，２２’）を画定する弁座（２０，２０’）を有する管状のケース（１４，１４’）と、
前記貫通開口（２２，２２’）を流れる流量を制御するために前記弁座（２０，２０’）に対して移動可能な閉塞部材（２４，２４’）と、
流体の温度に応じて前記貫通開口（２２，２２’）を開閉するために前記閉塞部材（２４，２４’）の動きを制御する感温制御手段（２６，２６’）と
を備える請求項１から４のいずれか１項に記載の流体回路用接続装置。
【請求項６】
前記感温制御手段（２６，２６’）は、気体もしくは液体が充填されたベロー（２６，２６’）を備え、
前記ベロー（２６，２６’）は第1の端部で前記閉塞部材（２４，２４’）に固定され、反対側の端部で前記ケース（１４，１４’）に固定されており、流体温度の変化に起因する前記ベロー（２６，２６’）の体積の変化の結果、前記閉塞部材（２４，２４’）が前記弁座（２０，２０’）に対して動作する、請求項５に記載に流体回路用接続装置。
【請求項７】
個々の前記温度式膨張弁（１２，１２’）の前記ケース（１４，１４’）は穴部（２８，２８’）を有し、
前記穴部（２８，２８’）は、それぞれの温度式膨張弁（１２，１２’）のベロー（２６，２６’）と連通すると共に、それぞれの温度式膨張弁（１２，１２’）のベロー（２６，２６’）の加圧及び減圧を許容するためのスプリング式弁をそれぞれ備えている、請求項６に記載の流体回路用接続装置。
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
均質な二相のミクロ組織を有する展伸ニッケル−クロム−モリブデン合金を製造する方法であって、
ａ．１８．４７〜２０．７８重量％のクロム、１９．２４〜２０．８７重量％のモリブデン、０．０８〜０．６２重量％のアルミニウム、０．７６重量％未満のマンガン、２．１０重量％未満の鉄、０．５６重量％未満の銅、０．１４重量％未満のケイ素、最大０．１７重量％のチタン、および０．０１３重量％未満の炭素を含み、残部がニッケルである、ニッケル−クロム−モリブデン合金のインゴットを得るステップと、
ｂ．前記インゴットに、１１０７℃（２０２５°Ｆ）〜１１４９℃（２１００°Ｆ）の温度で均質化処理を行なうステップと、
ｃ．前記インゴットに、１１０７℃（２０２５°Ｆ）〜１１４９℃（２１００°Ｆ）の出発温度で熱間加工を行なうステップと
を含む、展伸ニッケル−クロム−モリブデン合金の製造方法。
【請求項２】
前記熱間加工が、熱間鍛造及び熱間圧延のうちの少なくとも１つを含む、請求項１に記載された展伸ニッケル−クロム−モリブデン合金の製造方法。
【請求項３】
前記ニッケル−クロム−モリブデン合金のインゴットが、タングステンを含有する、請求項１に記載された展伸ニッケル−クロム−モリブデン合金の製造方法。
【請求項４】
前記ニッケル−クロム−モリブデン合金のインゴットは、クロムとモリブデンとの合計の含有量が３７．８７重量％を超える、請求項１に記載された展伸ニッケル−クロム−モリブデン合金の製造方法。
【請求項５】
前記ニッケル−クロム−モリブデン合金のインゴットが、最大４重量％のタングステンを含有する、請求項１に記載された展伸ニッケル−クロム−モリブデン合金の製造方法。
【請求項６】
前記均質化処理の温度が１１０７℃（２０２５°Ｆ）〜１１３５℃（２０７５°Ｆ）である、請求項１に記載された展伸ニッケル−クロム−モリブデン合金の製造方法。
【請求項７】
前記均質化処理の温度が１１２１℃（２０５０°Ｆ）である、請求項１に記載された展伸ニッケル−クロム−モリブデン合金の製造方法。
【請求項８】
前記均質化処理を２４時間行なう、請求項１に記載された展伸ニッケル−クロム−モリブデン合金の製造方法。
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
酸化セリウムの一次粒子が球状に集合した二次粒子からなるコア部分と、前記二次粒子表面にシェル部分となる高分子の層が存在する構造を有する、球状単分散コアシェル型酸化セリウムポリマーハイブリッドナノ粒子が、下記一般式（１）で表されるシラン化合物、下記一般式（２）で表されるシランカップリング剤のいずれか、または両方の少なくとも１種類以上で表面修飾されていることを特徴とする表面改質コアシェル型ナノ粒子。
【化１】
2017020020.tif 000001
〔式中、Ｒ１とＲ２は独立して、Ｒ１は、炭素数が１から１８のアルキル基あるいはアリール基あるいはビニル基を示し、Ｒ２は、炭素数が１から５のアルキル基あるいは炭素の総数が２から８のアルコキシアルキル基あるいは水素原子を示し、ｎは、１または２である。〕
【化２】
2017020020.tif 000002
〔式中、Ｘは、ビニル基、エポキシ含有基（グリシドキシ基、３，４−エポキシシクロヘキシル基）、スチリル基、メタクリル基、アクリル基、アミノ含有基、イソシアネート基、ウレイド基を示し、Ｒ３とＲ４は独立して、Ｒ３は、炭素数が１から５のアルキレン基あるいは、Ｘがグリシドキシ基の場合、１個の酸素原子をエーテル結合の形で含んでいる炭素の総数が２から５のアルキレン基あるいはフェニレン基を示し、Ｒ４は、炭素数が１から５のアルキル基あるいは炭素の総数が２から８のアルコキシアルキル基あるいは水素原子を示し、ｑは、０または１である。〕
【請求項２】
前記シェル部分を構成する高分子が、ポリビニルピロリドン、ヒドロキシプロピルセルロース、ヒドロキシプロピルメチルセルロースのいずれかが架橋した構造を有することを特徴とする請求項１に記載の表面改質コアシェル型ナノ粒子。
【請求項３】
前記シェル部分を構成する高分子が、カルボン酸で修飾されていることを特徴とする請求項１または２に記載の表面改質コアシェル型ナノ粒子。
【請求項４】
請求項１から３のいずれかに記載の表面改質コアシェル型ナノ粒子の非プロトン性極性溶媒あるいは無極性溶媒分散液。
【請求項５】
酸化セリウムの一次粒子が球状に集合した二次粒子からなるコア部分と、前記二次粒子表面にシェル部分となる高分子の層が存在する構造を有する、球状単分散コアシェル型酸化セリウムポリマーハイブリッドナノ粒子を、
下記一般式（１）で表されるシラン化合物、下記一般式（２）で表されるシランカップリング剤のいずれか、または両方の少なくとも１種類以上で表面修飾することを特徴とする表面改質コアシェル型ナノ粒子の製造方法。
【化３】
2017020020.tif 000003
〔式中、Ｒ１とＲ２は独立して、Ｒ１は、炭素数が１から１８のアルキル基あるいはアリール基あるいはビニル基を示し、Ｒ２は、炭素数が１から５のアルキル基あるいは炭素の総数が２から８のアルコキシアルキル基あるいは水素原子を示し、ｎは、１または２である。〕
【化４】
2017020020.tif 000004
〔式中、Ｘは、ビニル基、エポキシ含有基（グリシドキシ基、３，４−エポキシシクロヘキシル基）、スチリル基、メタクリル基、アクリル基、アミノ含有基、イソシアネート基、ウレイド基を示し、Ｒ３とＲ４は独立して、Ｒ３は、炭素数が１から５のアルキレン基あるいは、Ｘがグリシドキシ基の場合、１個の酸素原子をエーテル結合の形で含んでいる炭素の総数が２から５のアルキレン基あるいはフェニレン基を示し、Ｒ４は、炭素数が１から５のアルキル基あるいは炭素の総数が２から８のアルコキシアルキル基あるいは水素原子を示し、ｑは、０または１である。〕
【請求項６】
前記球状単分散コアシェル型酸化セリウムポリマーハイブリッドナノ粒子をカルボン酸処理した後、表面修飾することを特徴とする請求項５に記載の表面改質コアシェル型ナノ粒子の製造方法。
【請求項７】
前記カルボン酸が、酢酸であることを特徴とする請求項６に記載の表面改質コアシェル型ナノ粒子の製造方法。
【請求項８】
請求項１から３のいずれかに記載の表面改質コアシェル型ナノ粒子が、均一に分散した樹脂組成物。
【手続補正書】
【提出日】令和1年8月22日(2019.8.22)
【手続補正１】
【補正対象書類名】明細書
【補正対象項目名】発明の名称
【補正方法】変更
【補正の内容】
【発明の名称】電極の製造方法
【手続補正２】
【補正対象書類名】特許請求の範囲
【補正対象項目名】全文
【補正方法】変更
【補正の内容】
【特許請求の範囲】
【請求項１】
炭素を含む膜によって被覆された活物質粒子と、導電助剤と、還元された酸化グラフェンと、バインダーと、を有する活物質層を備えた電極の製造方法であって、
集電体上に、前記活物質粒子と、前記導電助剤と、酸化グラフェンと、前記バインダーと、を含む層を形成し、
前記層を、アルコールに浸した後に、加熱処理する電極の製造方法。
【請求項２】
還元された酸化グラフェンによって被覆された活物質粒子と、導電助剤と、還元された酸化グラフェンと、バインダーと、を有する活物質層を備えた電極の製造方法であって、
集電体上に、前記活物質粒子と、前記導電助剤と、酸化グラフェンと、前記バインダーと、を含む層を形成し、
前記層を、アルコールに浸した後に、加熱処理する電極の製造方法。
【請求項３】
請求項１または２において、
前記活物質粒子は、ＬｉａＭｎｂＭｃＯｄで表されるリチウムマンガン複合酸化物であり、元素Ｍは、クロム、コバルト、アルミニウム、ニッケル、鉄、マグネシウム、モリブデン、亜鉛、インジウム、ガリウム、銅、チタン、ニオブ、シリコン、およびリンから選ばれる電極の製造方法。
【請求項４】
請求項１乃至３のいずれか一において、
前記アルコールは、メタノール、エタノール、１−プロパノール、２−プロパノール、１−ブタノール、２−ブタノール、イソブチルアルコール、およびｔｅｒｔ−ブチルアルコールから選ばれる電極の製造方法。
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
コンピュータが、
ソフトウェアプログラムに関する第1プログラム表現を生成し、
テストスーツを利用して前記ソフトウェアプログラムにおける誤りを特定し、
前記誤りの特定に応じて、前記ソフトウェアプログラムを、修復テンプレートを利用して修正し、
前記ソフトウェアプログラムを修正した後に、前記ソフトウェアプログラムに関する第2プログラム表現を生成し、
前記第1プログラム表現と前記第2プログラム表現との比較に基づいて、前記第1プログラム表現に対する前記第2プログラム表現の相違を検出し、
修正が不適切であるか否かを示すアンチパターン条件を前記相違が充足することを判定し、
前記アンチパターン条件を前記相違が充足することに応じて、前記ソフトウェアプログラムの修正を不許可にすること、
を特徴とする方法。
【請求項２】
前記第1プログラム表現は第1制御フローグラフを含み、前記第2プログラム表現は第2制御フローグラフを含むことを特徴とする、請求項1に記載の方法。
【請求項３】
前記アンチパターン条件は、制御フローグラフのエグジットパスの削除を含むことを特徴とする、請求項2に記載の方法。
【請求項４】
前記アンチパターン条件は、制御フローグラフのノードの削除を含むことを特徴とする、請求項2に記載の方法。
【請求項５】
前記アンチパターン条件は、先行する制御フローグラフのリターンノードの前に、制御フローグラフのリターンパスを挿入することを含むことを特徴とする、請求項2に記載の方法。
【請求項６】
前記第1プログラム表現は第1データフローグラフを含み、前記第2プログラム表現は第2データフローグラフを含むことを特徴とする、請求項1に記載の方法。
【請求項７】
前記アンチパターン条件は、データフローノードの到来エッジの削除を含むことを特徴とする、請求項6に記載の方法。
【請求項８】
前記アンチパターン条件は、第1データフローノード及び第2データフローノードを含むデータフローノードの中断を含み、前記第1データフローノードは前記ソフトウェアプログラムのループのループ条件ステートメントに対応し、前記第2データフローノードは、前記ソフトウェアプログラムのループ内に存在し且つ前記ループ条件ステートメントの変数に関連する指定ステートメントに対応することを特徴とする、請求項6に記載の方法。
【請求項９】
前記アンチパターン条件は：「リターン」ステートメントの削除；「エグジット」ステートメントの削除；正規の表現に合致する名称を有するメソッドコールを含むステートメントの削除；「アサート」ステートメントの削除；制御フローグラフノードに関する全てのステートメントの削除；経路の条件の述語の否定の追加；条件の検査をディセーブルにする「真」の述語の追加；条件をディセーブルにする「偽」の述語の追加；制御フローブロックにおいて最後のステートメントでないリターンステートメントの制御フローブロックへの挿入；変数の定義であって対応する変数が始めて使用される際に不定となってしまうものの削除；及び、ループのループ条件がループ変数に基づく場合における、ループ内のループ変数についての指定ステートメントの削除；のうちの1つ以上に基づくことを特徴とする、請求項1に記載の方法。
【請求項１０】
前記第1プログラム表現は、修正前の前記ソフトウェアプログラムの少なくとも一部分のコピー；及び、修正前の前記ソフトウェアプログラムの少なくとも一部分の抽象構文ツリー；のうちの1つ以上を含み、
前記第2プログラム表現は、修正後の前記ソフトウェアプログラムの少なくとも一部分のコピー；及び、修正後の前記ソフトウェアプログラムの少なくとも一部分の抽象構文ツリー；のうちの1つ以上を含むことを特徴とする、請求項1に記載の方法。
【請求項１１】
テストスーツを利用してソフトウェアプログラムにおける誤りを特定し、
前記誤りの特定に応じて、前記ソフトウェアプログラムを、修復テンプレートを利用して修正し、
修正が不適切であるか否かを示すアンチパターン条件を前記修正が充足するか否かを判定し、
前記アンチパターン条件を前記修正が充足することに応じて、前記修正を不許可にし、
前記アンチパターン条件を前記修正が充足しないことに応じて、修正された前記ソフトウェアプログラムについて検査を実行する
処理をコンピュータに実行させることを特徴とするプログラム。
【請求項１２】
ソフトウェアプログラムに関する第1プログラム表現を生成する第1生成部と、
テストスーツを利用して前記ソフトウェアプログラムにおける誤りを特定する誤り特定部と、
前記誤りの特定に応じて、前記ソフトウェアプログラムを、修復テンプレートを利用して修正する修正部と、
前記ソフトウェアプログラムを修正した後に、前記ソフトウェアプログラムに関する第2プログラム表現を生成する第2生成部と、
前記第1プログラム表現と前記第2プログラム表現との比較に基づいて、前記第1プログラム表現に対する前記第2プログラム表現の相違を検出する相違検出部と、
修正が不適切であるか否かを示すアンチパターン条件を前記相違が充足するか否かを判定する判定部と、
前記アンチパターン条件を前記相違が充足することに応じて、前記修正を不許可にする不許可部と、
前記アンチパターン条件を前記相違が充足しないことに応じて、修正された前記ソフトウェアプログラムについて検査を実行する検査部と
を備えることを特徴とする修復装置。
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
ユーザーに触覚フィードバックを与えるシステムであって、該システムは、
触覚フィードバックジェネレーターを備える装置を備え、
前記触覚フィードバックジェネレーターは、異なる膨張率を有する少なくとも第１の材料と第２の材料を含む二層材料ストリップを備え、
前記触覚フィードバックジェネレーターは、第１の熱エネルギー供給源／シンクを更に備え、
前記二層材料ストリップは、温度変化に応じて、第１の位置と第２の位置との間で撓んで前記ユーザーに触覚フィードバックを与えるように構成され、
前記温度変化は、前記ユーザーが前記触覚フィードバックジェネレーターと接触する場合の前記ユーザーから前記第１の熱エネルギー供給源／シンクへの熱エネルギーの移動によって起こる前記二層材料ストリップの温度上昇であり、
前記温度上昇によって、前記二層材料ストリップは前記第１の位置から前記第２の位置に撓む、システム。
【請求項２】
前記二層材料ストリップはバイメタルストリップである、請求項１に記載の触覚フィードバックを与えるシステム。
【請求項３】
前記バイメタルストリップは、湾曲輪郭又はＶ字状輪郭のうちの一方を有する、請求項２に記載の触覚フィードバックを与えるシステム。
【請求項４】
前記二層材料ストリップは、約１μｍ〜約２００μｍ程度の厚さである、請求項１に記載の触覚フィードバックを与えるシステム。
【請求項５】
前記触覚フィードバックジェネレーターは、第２のエネルギー供給源／シンクを更に備え、前記温度変化は、前記ユーザーが前記触覚フィードバックジェネレーターとの接触を止める場合の前記二層材料ストリップから前記第２のエネルギー供給源／シンクへの熱エネルギーの移動によって起こる前記二層材料ストリップの温度低下であり、該温度低下によって、前記二層材料ストリップが前記第２の位置から前記第１の位置に撓む、請求項１に記載の触覚フィードバックを与えるシステム。
【請求項６】
前記二層材料ストリップは、前記ユーザーに向かう方向において前記第１の位置から前記第２の位置に撓む、請求項１に記載の触覚フィードバックを与えるシステム。
【請求項７】
前記触覚フィードバックは、前記二層材料ストリップが揺動することで生成される振動による触覚フィードバック効果である、請求項１に記載の触覚フィードバックを与えるシステム。
【請求項８】
前記第１の熱エネルギー供給源／シンクは多孔質材料を含む、請求項１に記載の触覚フィードバックを与えるシステム。
【請求項９】
前記第１の熱エネルギー供給源／シンクは流体チャネルを有する、請求項１に記載の触覚フィードバックを与えるシステム。
【請求項１０】
前記二層材料ストリップの底面は、前記ユーザーと前記ユーザーがタッチ可能な触覚フィードバックジェネレーターとの接触が解除されると前記二層材料ストリップを前記第１の位置に戻すばねに結合される、請求項１に記載の触覚フィードバックを与えるシステム。
【請求項１１】
前記二層材料ストリップの二層材料のうちの少なくとも一方の材料は多孔質である、請求項１に記載の触覚フィードバックを与えるシステム。
【請求項１２】
ユーザーと触覚フィードバックジェネレーターシステムとの接触に応じて、該触覚フィードバックジェネレーターシステムにおいて触覚フィードバックを生成する方法であって、
前記ユーザーと前記触覚フィードバックジェネレーターシステムとの接触の結果として、前記ユーザーから第１の熱エネルギー供給源／シンクに熱エネルギーを移動させることにより、前記触覚フィードバックジェネレーターシステムにおける前記第１の熱エネルギー供給源／シンクの温度を上昇させて、それにより、該システム内の二層材料ストリップの温度を上昇させることと、
前記二層材料ストリップを第１の位置と第２の位置との間で撓ませて、前記ユーザーに対する触覚フィードバックを生成することと、
を含む、方法。
【請求項１３】
前記ユーザーが前記触覚フィードバックジェネレーターシステムとの接触を止める場合に、前記二層材料ストリップから第２のエネルギー供給源／シンクに熱エネルギーを移動させることと、前記二層材料ストリップを前記第２の位置から前記第１の位置に撓ませることとを更に含む、請求項１２に記載の方法。
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
触覚フィードバックをユーザーに提供するアクチュエーターであって、
平行平板構造体を備え、前記平行平板構造体は、
ｉ．第１の電極を備える第１の平板と、
ｉｉ．永久分極を有する分極可能構造体を備える第２の平板と、
ｉｉｉ．前記第１の平板と前記第２の平板との間に位置決めされるとともに、前記第１の平板と前記第２の平板とを分離する１つ又は複数のスペーサーとを備え、
前記ユーザーによる第１の力での前記平行平板構造体の第１の接触が、静電相互作用からの触覚フィードバックを提供し、
前記ユーザーによる、前記第１の力よりも大きな第２の力での第２の接触が、前記スペーサーを圧縮し、前記ユーザーへの追加の触覚フィードバックを作動し、
前記アクチュエーターは、衣類に組み込まれている、アクチュエーター。
【請求項２】
前記第２の接触は、前記第１の接触の継続したものである、請求項１に記載のアクチュエーター。
【請求項３】
前記１つ又は複数のスペーサーはハイドロゲルを含む、請求項１に記載のアクチュエーター。
【請求項４】
前記１つ又は複数のスペーサーは、ピエゾポリマー又はピエゾセラミックを含む、請求項１に記載のアクチュエーター。
【請求項５】
前記追加の触覚フィードバックは静電相互作用からのものである、請求項１に記載のアクチュエーター。
【請求項６】
前記第１の平板と前記第２の平板との間に位置決めされた第２のアクチュエーターを更に備える、請求項１に記載のアクチュエーター。
【請求項７】
前記第２のアクチュエーターは前記追加の触覚フィードバックを提供する、請求項６に記載のアクチュエーター。
【請求項８】
前記第２のアクチュエーターはスマート材料アクチュエーターである、請求項６に記載のアクチュエーター。
【請求項９】
前記ユーザーのユーザーインターフェースを提供する、前記平行平板構造体と関連した基板を更に備える、請求項１に記載のアクチュエーター。
【請求項１０】
前記静電相互作用からの前記触覚フィードバックは第１の周波数であり、前記追加の触覚フィードバックは第２の周波数である、請求項１に記載のアクチュエーター。
【請求項１１】
前記第２の周波数は前記第１の周波数よりも高い、請求項１０に記載のアクチュエーター。
【請求項１２】
触覚フィードバックをユーザーに提供し、平行平板構造体を備えるアクチュエーターであって、
前記平行平板構造体は、
ａ）第１の電極と、
ｂ）永久分極を有する分極可能構造体と、
ｃ）前記第１の電極と前記永久分極を有する分極可能構造体との間に位置決めされるとともに、前記第１の電極と前記永久分極を有する分極可能構造体とを分離する１つ又は複数のスペーサーとを備え、
前記ユーザーによる第１の力での前記アクチュエーターの第１の接触が、静電相互作用からの触覚フィードバックを提供し、
前記ユーザーによる、前記第１の力よりも大きな第２の力での第２の接触が、前記スペーサーを圧縮し、静電相互作用からの追加の触覚フィードバックを作動し、
前記アクチュエーターは、衣類に組み込まれている、アクチュエーター。
【請求項１３】
前記１つ又は複数のスペーサーはハイドロゲルを含む、請求項１２に記載のアクチュエーター。
【請求項１４】
前記１つ又は複数のスペーサーは、ピエゾポリマー又はピエゾセラミックを含む、請求項１２に記載のアクチュエーター。
【請求項１５】
前記ユーザーのユーザーインターフェースを提供するように構成された、前記平行平板構造体と関連した基板を更に備える、請求項１２に記載のアクチュエーター。
【請求項１６】
前記第２の接触は前記第１の接触の継続したものである、請求項１２に記載のアクチュエーター。
【請求項１７】
第１の接触及び第２の接触に応答して、第１の触覚フィードバック及び第２の触覚フィードバックをユーザーに提供する着用可能デバイスであって、
ａ）衣類に組み込まれた基板と、
ｂ）前記基板と関連付けられた平行平板構造体とを備え、前記平行平板構造体は、
ｉ．第１の電極を備える第１の平板と、
ｉｉ．永久分極を有する分極可能構造体と少なくとも第２の絶縁体とを備える第２の平板と、
ｉｉｉ．前記第１の平板と前記第２の平板との間に位置決めされるとともに、前記第１の平板と前記第２の平板とを分離する１つ又は複数のスペーサーとを備え、
第１の力での前記第１の接触は、静電相互作用からの前記第１の触覚フィードバックを提供し、
前記第１の力よりも大きな第２の力での前記第２の接触は、前記スペーサーを圧縮し、前記第２の触覚フィードバックを作動する、着用可能デバイス。
【請求項１８】
前記１つ又は複数のスペーサーはハイドロゲルを含む、請求項１７に記載の着用可能デバイス。
【請求項１９】
前記１つ又は複数のスペーサーは、ピエゾポリマー又はピエゾセラミックを含む、請求項１７に記載の着用可能デバイス。
【請求項２０】
前記第２の触覚フィードバックは静電相互作用からのものである、請求項１７に記載の着用可能デバイス。
【請求項２１】
前記第１の平板と前記第２の平板との間に位置決めされた第２のアクチュエーターを更に備える、請求項１７に記載の着用可能デバイス。
【請求項２２】
前記第２のアクチュエーターは前記第２の触覚フィードバックを提供する、請求項２１に記載の着用可能デバイス。
【請求項２３】
前記第２のアクチュエーターはスマート材料アクチュエーターである、請求項２２に記載の着用可能デバイス。
【請求項２４】
前記静電相互作用からの前記第１の触覚フィードバックは第１の周波数であり、前記第２の触覚フィードバックは第２の周波数である、請求項１７に記載の着用可能デバイス。
【請求項２５】
前記第２の周波数は前記第１の周波数よりも高い、請求項２４に記載の着用可能デバイス。
【請求項２６】
前記第２の接触は前記第１の接触の継続したものである、請求項１７に記載の着用可能デバイス。
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
服薬者の服薬を管理する服薬管理装置であって、
薬を格納するために並べて配置された格納部から前記薬が取り出されたことを検知する検知手段と、
所定の時刻に基づく時刻を過ぎても、前記検知手段により前記格納部から前記薬が取り出されたことが検知されなかった場合、警告を出力する警告出力手段と
を備えることを特徴とする服薬管理装置。
【請求項２】
前記警告出力手段は、
前記所定の時刻又は当該時刻の所定時間前若しくは所定時間後の時刻を過ぎても、前記検知手段により前記格納部から前記薬が取り出されたことが検知されなかった場合、警告を出力すること
を特徴とする請求項１に記載の服薬管理装置。
【請求項３】
撮像を行う撮像部に対して、前記服薬者が服薬する様子の撮像を指示する撮像指示手段
を更に備えることを特徴とする請求項１又は２に記載の服薬管理装置。
【請求項４】
前記撮像指示手段は、
前記検知手段により前記格納部から前記薬が取り出されたことが検知された場合、前記撮像部に対して撮像を指示すること
を特徴とする請求項３に記載の服薬管理装置。
【請求項５】
前記所定の時刻又は当該時刻の所定時間前若しくは所定時間後の時刻を過ぎても、前記検知手段により前記格納部から前記薬が取り出されたことが検知されなかった場合、前記撮像指示手段により前記撮像部に対して撮像を指示すること
を特徴とする請求項３又は４に記載の服薬管理装置。
【請求項６】
前記検知手段は、複数の前記格納部のうち、どの格納部から前記薬が取り出されたかを検知し、
前記検知手段により薬が取り出されたと検知された格納部と他の格納部とを識別して表示する表示部
を更に備えることを特徴とする請求項１乃至５のいずれか１項に記載の服薬管理装置。
【請求項７】
前記表示部において、前記薬が取り出された格納部に対応する表示が、前記薬が既に取り出されていたことを示していた場合、当該薬が取り出されたことに従って行う処理を行わないこと
を特徴とする請求項６に記載の服薬管理装置。
【請求項８】
前記服薬管理装置は、複数の服薬者の服薬を管理する服薬管理装置であって、
前記格納部は、前記服薬者ごとに分けて薬を格納し、
前記検知手段は、前記格納部から前記複数の服薬者のうち、どの服薬者の薬が取り出されたかを検知し、
前記表示部は、前記複数の服薬者の服薬状況をまとめて表示する、又は前記服薬者ごとに服薬状況を表示すること
を特徴とする請求項６又は７に記載の服薬管理装置。
【請求項９】
前記検知手段は、複数の前記格納部のうち、どの格納部から前記薬が取り出されたかを検知し、
前記複数の格納部は、服薬する日と服薬する時間帯の少なくともいずれか一方に対応づけられて配置されており、
前記警告出力手段は、
前記検知手段により検知されたときの日時が、前記検知手段により検知された薬が取り出された格納部に対応する服薬する日と服薬する時間帯の少なくともいずれか一方に当てはまらない場合、警告を出力すること
を特徴とする請求項１乃至８のいずれか１項に記載の服薬管理装置。
【請求項１０】
前記警告出力手段は、
前記所定の時刻に対応する前記格納部に薬が格納されていない、前記所定の時刻に対応しない前記格納部に薬が格納されている、の少なくともいずれか一方を満たす場合、警告を出力すること
を特徴とする請求項１乃至９のいずれか１項に記載の服薬管理装置。
【請求項１１】
前記所定の時刻に基づく時刻までに前記検知手段が前記格納部から前記薬が取り出されたことを検知したこと、前記所定の時刻に基づく時刻を過ぎても前記検知手段が前記格納部から前記薬が取り出されたことを検知しなかったこと、の少なくともいずれか一方を他の装置に通知する通知手段
を更に備えることを特徴とする請求項１乃至１０のいずれか１項に記載の服薬管理装置。
【請求項１２】
前記所定の時刻に基づく時刻までに前記検知手段が前記格納部から前記薬が取り出されたことを検知したこと、前記所定の時刻に基づく時刻を過ぎても前記検知手段が前記格納部から前記薬が取り出されたことを検知しなかったこと、の少なくともいずれか一方を結果として出力する結果出力手段
を更に備えることを特徴とする請求項１乃至１１のいずれか１項に記載の服薬管理装置。
【請求項１３】
前記服薬管理装置は、情報処理装置であって、
前記検知手段は、
前記格納部から前記薬が取り出されたことを示す信号を受信することにより、前記格納部から前記薬が取り出されたことを検知すること
を特徴とする請求項１乃至１２のいずれか１項に記載の服薬管理装置。
【請求項１４】
服薬者の服薬を管理する服薬管理装置における処理方法であって、
前記服薬管理装置が、
薬を格納するために並べて配置された格納部から前記薬が取り出されたことを検知する検知ステップと、
所定の時刻に基づく時刻を過ぎても、前記検知ステップにより前記格納部から前記薬が取り出されたことが検知されなかった場合、警告を出力する警告出力ステップと
を実行することを特徴とする処理方法。
【請求項１５】
コンピュータを、請求項１乃至１３の何れか１項に記載の服薬管理装置の各手段として機能させるためのプログラム。
【手続補正２】
【補正対象書類名】明細書
【補正対象項目名】０００４
【補正方法】変更
【補正の内容】
【０００４】  しかし、服薬者が特許文献１のカレンダーを見ることで服薬を意識することができるが、カレンダーを見なかった場合、服薬を忘れてしまうという問題がある。
よって、本発明の目的は、並べて配置された薬の好適な服薬を促進する仕組みを提供することを目的とする。
【手続補正３】
【補正対象書類名】明細書
【補正対象項目名】０００５
【補正方法】変更
【補正の内容】
【０００５】  服薬者の服薬を管理する服薬管理装置であって、薬を格納するために並べて配置された格納部から前記薬が取り出されたことを検知する検知手段と、所定の時刻に基づく時刻を過ぎても、前記検知手段により前記格納部から前記薬が取り出されたことが検知されなかった場合、警告を出力する警告出力手段とを備えることを特徴とする服薬管理装置。
【手続補正４】
【補正対象書類名】明細書
【補正対象項目名】０００６
【補正方法】変更
【補正の内容】
【０００６】  本発明によれば、並べて配置された薬の好適な服薬を促進する仕組みを提供することができる。
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
判定条件の成立に基づいて、遊技者に有利な特別遊技が実行される特別遊技状態に移行させるか否かの移行判定を行う判定手段と、
前記判定手段による前記移行判定の結果に基づく遊技の進行する上での遊技者の利益状態に関する利益情報を表示可能な利益情報表示手段と、
所定期間に満たされた特定の条件の回数に応じて、前記利益情報表示手段に表示される前記利益情報に関する表示内容を制御する表示制御手段と、
を備え、
前記特定の条件は、特定領域を遊技球が通過することを契機として成立し得ることを特徴とする遊技機。
【請求項２】
前記遊技領域に流下する遊技球を前記遊技盤の背面側に排出する排出口をさらに備え、
前記特定領域は、前記排出口であることを特徴とする請求項１に記載の遊技機。
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技者にとっての有利度が異なる複数の設定値のうちいずれかの設定値に設定可能な設定手段と、
遊技に関する説明を行う特定報知を実行可能な特定報知手段と、を備え、
前記特定報知の態様として、特定態様を含む複数の態様があり、
いずれの設定値が設定されているかによって、前記特定態様により前記特定報知が実行される割合が異なる、
ことを特徴とする遊技機。
【手続補正２】
【補正対象書類名】明細書
【補正対象項目名】０００２
【補正方法】変更
【補正の内容】
【０００２】
遊技者にとっての有利度が異なる複数の設定値のいずれかに変更可能な遊技機がある（例えば特許文献１参照）。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
特許文献１に記載の技術では、設定されている設定値にもとづいて有利状態の制御を実行可能に構成した遊技機において、必ずしも演出効果を高めることはできない。
【手続補正５】
【補正対象書類名】明細書
【補正対象項目名】０００５
【補正方法】変更
【補正の内容】
【０００５】
この発明は、上記の実状に鑑みてなされたものであり、演出効果を高めることが可能な遊技機を提供することを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
遊技者にとって有利な有利状態（例えば大当り遊技状態）に制御可能な遊技機（例えばパチンコ遊技機１）であって、
遊技者にとっての有利度が異なる複数の設定値のうちいずれかの設定値（例えば設定値１〜３のいずれかなど）に設定可能な設定手段と、
遊技に関する説明を行う特定報知を実行可能な特定報知手段（例えば右打ち指示報知を行う演出制御用ＣＰＵ１２０など）と、を備え、
前記特定報知の態様として、特定態様を含む複数の態様があり、
いずれの設定値が設定されているかによって、前記特定態様により前記特定報知が実行される割合が異なる（例えば設定されている設定値に応じて異なる実行割合で、異なる実行態様により、設定示唆を含む右打ち指示報知（特定報知）を実行可能であるなど）。
このような構成によれば、演出効果を高めることができる。
（１）また、本願の他の発明に係る遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。